(57)【特許請求の範囲】
【請求項１】
上下方向に長い基体の側面部に、該上下方向にジグザグ状に屈曲するジグザグ状屈曲突部が突設されており、該ジグザグ状屈曲突部は少なくとも１個のＶ字状屈曲部を具え、該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記側面部を底面部とする三角形状凹部が形成されており、該三角形状凹部は、少なくとも、前記上下方向と直交する左右方向で開放されていることを特徴とする定着具。
【請求項２】
上下方向に長い平板状の基体の、前後方向で見て対向する側面部の夫々に、上下方向にジグザグ状に屈曲するジグザグ状屈曲突部が突設されており、該ジグザグ状屈曲突部は、少なくとも１個のＶ字状屈曲部を具え、該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記側面部を底面部とする三角形状凹部が形成されており、該三角形状凹部は、前記前後方向と該前後方向と直交する左右方向で開放されていることを特徴とする定着具。
【請求項３】
上下方向に長い平板状の基体の上側部分が定着具上部を構成すると共に、該基体の下側部分が定着具下部を構成しており、該定着具上部は、該上側部分が構成するウエブ形成部の両端部分にフランジが設けられることによって横断面Ｈ形を呈する如くなされており、
前記定着具下部は、前記基体の下側部分の前後方向で見て対向する側面部の夫々に、前記上下方向にジグザグ状に屈曲するジグザグ状屈曲突部が突設されており、該ジグザグ状屈曲突部は、少なくとも１個のＶ字状屈曲部を具え、該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記側面部を底面部とする三角形状凹部が形成されており、該三角形状凹部は、前記前後方向と該前後方向と直交する左右方向で開放されていることを特徴とする定着具。
【請求項４】
上下方向に長い平板状の基体の所要長さ部分が定着基体とされており、該定着基体は、該上下方向にジグザグ状に屈曲するジグザグ状基体屈曲部とされ、該ジグザグ状基体屈曲部は少なくとも１個のＶ字状基体屈曲部を具え、該Ｖ字状基体屈曲部は、下向きの傾斜基体下面部を形成する傾斜下面部形成部と、上向きの傾斜基体上面部を形成する傾斜上面部形成部を有し、該傾斜基体上面部と該傾斜基体下面部との間に三角形状基体凹部が形成されており、
又、前記ジグザグ状基体屈曲部の、前後方向で見て対向する側面部の夫々に、前記上下方向にジグザグ状に屈曲するジグザグ状屈曲突部が突設されており、該ジグザグ状屈曲突部は、少なくとも１個のＶ字状屈曲部を具え、該Ｖ字状屈曲部は、前記三角形状基体凹部を前記前後方向と直交する左右方向で左右分割する如く突設されており、又該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記Ｖ字状基体屈曲部の前記側面部の左側部分又は右側部分を底面部とする三角形状凹部が形成されており、該三角形状凹部は、前記前後方向と該前後方向と直交する左右方向で開放されており、又、前記傾斜基体下面部の右側部分と前記傾斜基体上面部の右側部分との間に、及び、前記傾斜基体下面部の左側部分と前記傾斜基体上面部の左側部分との間に、夫々、前記傾斜下面部と前記傾斜上面部とを底面部とする三角形状凹部が形成されていることを特徴とする定着具。
【請求項５】
上下方向に長い平板状の基体の上側部分が定着具上部を構成すると共に、該基体の下側部分が定着基体とされており、該定着具上部は、該上側部分が構成するウエブ形成部の両端部分にフランジが設けられることによって横断面Ｈ形を呈する如くなされており、該定着基体は、該上下方向にジグザグ状に屈曲するジグザグ状基体屈曲部とされ、該ジグザグ状基体屈曲部は、少なくとも１個のＶ字状基体屈曲部を具え、該Ｖ字状基体屈曲部は、下向きの傾斜基体下面部を形成する傾斜下面部形成部と、上向きの傾斜基体上面部を形成する傾斜上面部形成部を有し、該傾斜基体上面部と該傾斜基体下面部との間に三角形状基体凹部が形成されており、
又、前記ジグザグ状基体屈曲部の、前後方向で見て対向する側面部の夫々に、前記上下方向にジグザグ状に屈曲するジグザグ状屈曲突部が突設されており、該ジグザグ状屈曲突部は少なくとも１個のＶ字状屈曲部を具え、該Ｖ字状屈曲部は、前記三角形状基体凹部を前記前後方向と直交する左右方向で左右分割する如く突設されており、又該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記Ｖ字状基体屈曲部の前記側面部の左側部分又は右側部分を底面部とする三角形状凹部が形成されており、該三角形状凹部は、前記前後方向と該前後方向と直交する左右方向で開放されており、又、前記傾斜基体下面部の右側部分と前記傾斜基体上面部の右側部分との間に、及び、前記傾斜基体下面部の左側部分と前記傾斜基体上面部の左側部分との間に、夫々、前記傾斜下面部と前記傾斜上面部とを底面部とする三角形状凹部が形成されていることを特徴とする定着具。
【請求項６】
上下方向に長い平板状の基体の上側部分が定着具上部を構成すると共に、該基体の下側部分が定着基体とされており、該定着具上部は、ウエブ形成部の両端部分にフランジが設けられることによって横断面Ｈ形を呈する如くなされており、該フランジの一方が前記基体を構成しており、前記定着基体は、該上下方向にジグザグ状に屈曲するジグザグ状基体屈曲部とされ、該ジグザグ状基体屈曲部は、少なくとも１個のＶ字状基体屈曲部を具え、該Ｖ字状基体屈曲部は、下向きの傾斜基体下面部を形成する傾斜下面部形成部と、上向きの傾斜基体上面部を形成する傾斜上面部形成部を有し、該傾斜基体上面部と該傾斜基体下面部との間に三角形状基体凹部が形成されており、
又、前記ジグザグ状基体屈曲部の、前後方向で見て対向する側面部の夫々に、前記上下方向にジグザグ状に屈曲するジグザグ状屈曲突部が突設されており、該ジグザグ状屈曲突部は少なくとも１個のＶ字状屈曲部を具え、該Ｖ字状屈曲部は、前記三角形状基体凹部を前記前後方向と直交する左右方向で二分割する如く突設されており、又該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記Ｖ字状基体屈曲部の、前記側面部の左側部分又は右側部分を底面部とする三角形状凹部が形成されており、該三角形状凹部は、前記前後方向と該前後方向と直交する左右方向で開放されており、又、前記傾斜基体下面部の右側部分と前記傾斜基体上面部の右側部分との間に、及び、前記傾斜基体下面部の左側部分と前記傾斜基体上面部の左側部分との間に、夫々、前記傾斜下面部と前記傾斜上面部とを底面部とする三角形状凹部が形成されていることを特徴とする定着具。
【請求項７】
前記ジグザグ状屈曲突部は、上に位置する前記傾斜下面部形成突部の下端と下に位置する前記傾斜上面部形成突部の上端とが連結されていることを特徴とする請求項１〜６の何れかに記載の定着具。
【請求項８】
前記ジグザグ状屈曲突部は、上に位置する前記傾斜下面部形成突部の下端と下に位置する前記傾斜上面部形成突部の上端とが垂直突部を介して連結されていることを特徴とする請求項１〜６の何れかに記載の定着具。
【請求項９】
請求項４、５又は６記載の定着具において、前記三角形状基体凹部の基体頂部と前記三角形状凹部の頂部とが、上下位置ずれしていることを特徴とする定着具。
【請求項１０】
前記ジグザグ状屈曲突部の上端が前記フランジの下端に連結されていることを特徴とする請求項３、５又は６記載の定着具。
【請求項１１】
前記定着具上部の前記フランジ間の溝部に、該溝部底面を基点として外方に向けて下方に傾斜する傾斜面を具えた傾斜突部が設けられていることを特徴とする請求項３、５又は６記載の定着具。
【請求項１２】
前記ジグザグ状屈曲突部を構成する前記傾斜下面部と前記傾斜上面部の、水平線に対する傾斜角度が４５〜６５度であることを特徴とする請求項１〜１１の何れかに記載の定着具。
【請求項１３】
請求項１〜６の何れかに記載の定着具を具えて地中に打込まれる杭であって、前記基体に、斜め上方に突出するつの状抜け止め片が設けられており、その基体に対する取付け部となる根元側部分の外側面部が、外方に向けて先細となる、上下に長い刃状部として構成されていることを特徴とする打込み式杭。
【請求項１４】
前記上下に長い刃状部は、前記三角形状凹部の下端側の部分に対応させて設けられており、且つ該刃状部は、その稜線が上下方向に延長する山形状を呈しており、その山形の傾斜側面が該三角形状凹部に向けて配置されていることを特徴とする請求項１３記載の打込み式杭。
【請求項１５】
請求項７又は８記載の定着具を具えて構成された、地中に打込まれる打込み式杭であって、前記基体の下端部分が、下方に向けて先細化する先細部として形成されると共に、前記ジグザグ状屈曲突部の下端が該先細部の上端に連結されていることを特徴とする打込み式杭。
【請求項１６】
請求項７又は８記載の定着具を具えて構成された、地中に打ち込まれてシート状物を地面に押えるシート状物押え杭であって、前記基体の下端部分が、下方に向けて先細化する先細部として形成され、該先細部の下端部分は、下方に向けて鋭に形成されたシ−ト状物突き刺し突部とされていることを特徴とするシート状物押え杭。
【請求項１７】
請求項７又は８記載の定着具を具えて構成された、地中に打ち込まれてシート状物を地面に押えるシート状物押え杭であって、前記基体の上端が、板状を呈してシート状物を地面に向けて押える押え板の下面に連結されており、前記押え板の下面に、該押え板が押さえたシート状物に食い込む食い込み突部が設けられていることを特徴とするシート状物押え杭。
【発明の詳細な説明】
【技術分野】
【０００１】
本発明は、被定着物を定着させるための定着具に関するものであり、より詳しくは、防草シ−トや遮光シ−ト、マルチ等の農業用シ−ト、緑化用のシ−ト、植物を栽培するための植生マット等としての各種のシ−ト状物を地面等に押えて固定するための杭や、コンクリートに埋設されて支柱等をコンクリート面に固定するためのアンカ−具等、各種被定着物の定着のために用い得る定着具に関するものである。又、これを応用して構成された打込み式杭とシート状物押え杭に関するものである。
【背景技術】
【０００２】
防草シ−トや遮光シ−ト、マルチ等の農業用シ−ト、緑化用のシ−ト、植物を栽培するための植生マット等としてのシ−ト状物を地面に押えて固定するために用いられる従来のシ−ト状物押え杭の一例としては、特許文献１が開示するものを挙げることができる。
【０００３】
特許文献１の図２、図３には、シ−ト状物押え杭の一例として、円板状や十字状板等の形態を呈してシ−ト状物を押える押え板の下面に、周面が平滑な支持杭を下方に突設した構成を有するものが記載されており、該シ−ト状物押え杭は、その支持杭を地中に押し込むことによって該押え板がシ−ト状物を押えて地面に固定するものであった。しかしながらこの種のシ−ト状物押え杭は、支持杭の周面が平滑であったために抜けやすく、その結果、風によってシ−ト状物が剥がれてしまう欠点があった。
【０００４】
そこで、特許文献１の図４が開示する杭が提案されている。該杭ａは、図３６に示すように、例えば逆三角形の板状を呈して地中に押し込まれる平板状の杭本体ｂの表裏対向する側面部ｃ，ｃに抜止め片ｄ，ｄが突設されてなり、該抜止め片ｄは、その上面ｅが水平面状に形成されていた。かかる構成を有する杭ａを土中に埋設すると、該杭ａに上方向への引き抜き力が付加された場合は、前記抜止め片ｄの、水平面状を呈する前記上面ｅが、その上側に存する土を上方に押圧して持ち上げる作用を発揮するため、該抜止め片ｄによって杭の引抜き抵抗力を増大させることができた。
【０００５】
しかしながら該杭ａは、前記抜止め片ｄの上側に存する土を上方に持ち上げる作用を発揮するだけであったため、得られる引抜き抵抗力の大きさに限界があった。
【先行技術文献】
【特許文献】
【０００６】
【特許文献１】実開平６−８６４４２号公報
【発明の概要】
【発明が解決しようとする課題】
【０００７】
本発明は、前記従来の問題点に鑑みて開発されたものであり、支持盤中（土中やコンクリ−ト中等）に埋設された状態で引抜き荷重や押し込み荷重が付加されたときに、内部層（土やコンクリ−ト等）をより広い周辺範囲に亘って押圧できて引抜き抵抗力や支持力の増大を期し得る、例えば杭やアンカ−具等、定着用途に広く応用可能な定着具の提供を課題とするものである。又本発明は、かかる引抜き抵抗力や支持力の増大を期し得る打込み式杭の提供を課題とするものであり、又本発明は、かかる引抜き抵抗力の増大が図られてシート状物を地面に対してより確実に押えることのできるシート状物押え杭の提供を課題とするものである。
【課題を解決するための手段】
【０００８】
前記課題を解決するため本発明は以下の手段を採用する。
即ち本発明に係る定着具の第１の態様は、上下方向に長い基体の側面部に、該上下方向にジグザグ状に屈曲するジグザグ状屈曲突部が突設されており、該ジグザグ状屈曲突部は少なくとも１個のＶ字状屈曲部を具え、該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記側面部を底面部とする三角形状凹部が形成されており、該三角形状凹部は、少なくとも、前記上下方向と直交する左右方向で開放されていることを特徴とするものである。
【０００９】
本発明に係る定着具の第２の態様は、上下方向に長い平板状の基体の、前後方向で見て対向する側面部の夫々に、上下方向にジグザグ状に屈曲するジグザグ状屈曲突部が突設されており、該ジグザグ状屈曲突部は、少なくとも１個のＶ字状屈曲部を具え、該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記側面部を底面部とする三角形状凹部が形成されており、該三角形状凹部は、前記前後方向と該前後方向と直交する左右方向で開放されていることを特徴とするものである。
【００１０】
本発明に係る定着具の第３の態様は、上下方向に長い平板状の基体の上側部分が定着具上部を構成すると共に、該基体の下側部分が定着具下部を構成しており、該定着具上部は、該上側部分が構成するウエブ形成部の両端部分にフランジが設けられることによって横断面Ｈ形を呈する如くなされており、前記定着具下部は、前記基体の下側部分の前後方向で見て対向する側面部の夫々に、前記上下方向にジグザグ状に屈曲するジグザグ状屈曲突部が突設されており、該ジグザグ状屈曲突部は、少なくとも１個のＶ字状屈曲部を具え、該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記側面部を底面部とする三角形状凹部が形成されており、該三角形状凹部は、前記前後方向と該前後方向と直交する左右方向で開放されていることを特徴とするものである。
【００１１】
本発明に係る定着具の第４の態様は、上下方向に長い平板状の基体の所要長さ部分が定着基体とされており、該定着基体は、該上下方向にジグザグ状に屈曲するジグザグ状基体屈曲部とされ、該ジグザグ状基体屈曲部は少なくとも１個のＶ字状基体屈曲部を具え、該Ｖ字状基体屈曲部は、下向きの傾斜基体下面部を形成する傾斜下面部形成部と、上向きの傾斜基体上面部を形成する傾斜上面部形成部を有し、該傾斜基体上面部と該傾斜基体下面部との間に三角形状基体凹部が形成されている。又、前記ジグザグ状基体屈曲部の、前後方向で見て対向する側面部の夫々に、前記上下方向にジグザグ状に屈曲するジグザグ状屈曲突部が突設されており、該ジグザグ状屈曲突部は、少なくとも１個のＶ字状屈曲部を具え、該Ｖ字状屈曲部は、前記三角形状基体凹部を前記前後方向と直交する左右方向で左右分割する如く突設されており、又該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記Ｖ字状基体屈曲部の前記側面部の左側部分又は右側部分を底面部とする三角形状凹部が形成されており、該三角形状凹部は、前記前後方向と該前後方向と直交する左右方向で開放されている。又、前記傾斜基体下面部の右側部分と前記傾斜基体上面部の右側部分との間に、及び、前記傾斜基体下面部の左側部分と前記傾斜基体上面部の左側部分との間に、夫々、前記傾斜下面部と前記傾斜上面部とを底面部とする三角形状凹部が形成されていることを特徴とするものである。
【００１２】
本発明に係る定着具の第５の態様は、上下方向に長い平板状の基体の上側部分が定着具上部を構成すると共に、該基体の下側部分が定着基体とされており、該定着具上部は、該上側部分が構成するウエブ形成部の両端部分にフランジが設けられることによって横断面Ｈ形を呈する如くなされており、該定着基体は、該上下方向にジグザグ状に屈曲するジグザグ状基体屈曲部とされ、該ジグザグ状基体屈曲部は、少なくとも１個のＶ字状基体屈曲部を具え、該Ｖ字状基体屈曲部は、下向きの傾斜基体下面部を形成する傾斜下面部形成部と、上向きの傾斜基体上面部を形成する傾斜上面部形成部を有し、該傾斜基体上面部と該傾斜基体下面部との間に三角形状基体凹部が形成されている。又、前記ジグザグ状基体屈曲部の、前後方向で見て対向する側面部の夫々に、前記上下方向にジグザグ状に屈曲するジグザグ状屈曲突部が突設されており、該ジグザグ状屈曲突部は少なくとも１個のＶ字状屈曲部を具え、該Ｖ字状屈曲部は、前記三角形状基体凹部を前記前後方向と直交する左右方向で左右分割する如く突設されており、又該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記Ｖ字状基体屈曲部の前記側面部の左側部分又は右側部分を底面部とする三角形状凹部が形成されており、該三角形状凹部は、前記前後方向と該前後方向と直交する左右方向で開放されている。又、前記傾斜基体下面部の右側部分と前記傾斜基体上面部の右側部分との間に、及び、前記傾斜基体下面部の左側部分と前記傾斜基体上面部の左側部分との間に、夫々、前記傾斜下面部と前記傾斜上面部とを底面部とする三角形状凹部が形成されていることを特徴とするものである。
【００１３】
本発明に係る定着具の第６の態様は、上下方向に長い平板状の基体の上側部分が定着具上部を構成すると共に、該基体の下側部分が定着基体とされており、該定着具上部は、ウエブ形成部の両端部分にフランジが設けられることによって横断面Ｈ形を呈する如くなされており、該フランジの一方が前記基体を構成しており、前記定着基体は、該上下方向にジグザグ状に屈曲するジグザグ状基体屈曲部とされ、該ジグザグ状基体屈曲部は、少なくとも１個のＶ字状基体屈曲部を具え、該Ｖ字状基体屈曲部は、下向きの傾斜基体下面部を形成する傾斜下面部形成部と、上向きの傾斜基体上面部を形成する傾斜上面部形成部を有し、該傾斜基体上面部と該傾斜基体下面部との間に三角形状基体凹部が形成されている。又、前記ジグザグ状基体屈曲部の、前後方向で見て対向する側面部の夫々に、前記上下方向にジグザグ状に屈曲するジグザグ状屈曲突部が突設されており、該ジグザグ状屈曲突部は少なくとも１個のＶ字状屈曲部を具え、該Ｖ字状屈曲部は、前記三角形状基体凹部を前記前後方向と直交する左右方向で左右分割する如く突設されており、又該Ｖ字状屈曲部は、下向きの傾斜下面部を形成する傾斜下面部形成突部と、上向きの傾斜上面部を形成する傾斜上面部形成突部を有し、該傾斜上面部と該傾斜下面部との間に、前記Ｖ字状基体屈曲部の、前記側面部の左側部分又は右側部分を底面部とする三角形状凹部が形成されており、該三角形状凹部は、前記前後方向と該前後方向と直交する左右方向で開放されている。又、前記傾斜基体下面部の右側部分と前記傾斜基体上面部の右側部分との間に、及び、前記傾斜基体下面部の左側部分と前記傾斜基体上面部の左側部分との間に、夫々、前記傾斜下面部と前記傾斜上面部とを底面部とする三角形状凹部が形成されていることを特徴とするものである。
【００１４】
本発明に係る定着具の第７の態様は、前記の第１〜第６の態様に係る定着具において、前記ジグザグ状屈曲突部を、上に位置する前記傾斜下面部形成突部の下端と下に位置する前記傾斜上面部形成突部の上端とが連結されたものとして構成したことを特徴とするものである。
【００１５】
本発明に係る定着具の第８の態様は、前記の第１〜第６の態様に係る定着具において、前記ジグザグ状屈曲突部を、上に位置する前記傾斜下面部形成突部の下端と下に位置する前記傾斜上面部形成突部の上端とが垂直突部を介して連結されたものとして構成したことを特徴とするものである。
【００１６】
本発明に係る定着具の第９の態様は、前記第４、第５又は第６の態様において、前記三角形状基体凹部の基体頂部と前記三角形状凹部の頂部とが、上下位置ずれしたものとして構成したことを特徴とするものである。
【００１７】
本発明に係る定着具の第１０の態様は、前記第３、第５、第６の態様において、前記ジグザグ状屈曲突部の上端が前記フランジの下端に連結されたものとして構成したことを特徴とするものである。
【００１８】
本発明に係る定着具の第１１の態様は、前記第３、第５、第６の態様において、前記定着具上部の前記フランジ間の溝部に、該溝部底面を基点として外方に向けて下方に傾斜する傾斜面を具えた傾斜突部が設けられたものとして構成したことを特徴とするものである。
【００１９】
本発明に係る定着具の第１２の態様は、前記第１〜第１１の何れかの態様において、前記ジグザグ状屈曲突部を構成する前記傾斜下面部と前記傾斜上面部の、水平線に対する傾斜角度が４５〜６５度に設定されていることを特徴とするものである。
【００２０】
本発明に係る杭は、前記第１〜第６の態様に係る定着具を応用して構成されてなる、地中に打込まれる杭であり、前記基体に、斜め上方に突出するつの状抜け止め片が設けられており、その基体に対する取付け部となる根元側部分の外側面部が、外方に向けて先細となる、上下に長い刃状部として構成されていることを特徴とするものである。
【００２１】
該杭において、前記上下に長い刃状部は、前記三角形状凹部の下端側の部分に対応させて設けられており、且つ該刃状部は、その稜線が上下方向に延長する山形状を呈しており、その山形の傾斜側面が該三角形状凹部に向けて配置されたものとして構成するのがよい。
【００２２】
本発明に係る打込み式杭は、前記第７又は第８の態様に係る定着具を応用して構成されてなる、地中に打込まれる杭であり、前記基体の下端部分が、下方に向けて先細化する先細部として形成されると共に、前記ジグザグ状屈曲突部の下端が該先細部の上端に連結されていることを特徴とするものである。
【００２３】
本発明に係るシート状物押え杭は、前記第７又は第８の態様に係る定着具を応用して構成されてなる、地中に打ち込まれてシート状物を地面に押えるシート状物押え杭であり、前記基体の下端部分が、下方に向けて先細化する先細部として形成され、該先細部の下端部分は、下方に向けて鋭に形成されたシ−ト状物突き刺し突部とされていることを特徴とするものである。
【００２４】
本発明に係るシート状物押え杭の他の態様は、前記第７又は第８の態様に係る定着具を応用して構成されてなる、地中に打ち込まれてシート状物を地面に押えるシート状物押え杭であり、前記基体の上端が、板状を呈してシート状物を地面に向けて押える押え板の下面に連結されており、前記押え板の下面に、該押え板が押さえたシート状物に食い込む食い込み突部が設けられていることを特徴とするものである。
【発明の効果】
【００２５】
本発明は以下の如き優れた効果を奏する。
(1) 本発明に係る定着具は、上下方向に長い基体の側面部に、該上下方向で屈曲するジグザグ状屈曲突部が突設され、該ジグザグ状屈曲突部は少なくとも１個のＶ字状屈曲部を具え、該Ｖ字状屈曲部は、傾斜下面部を形成する傾斜下面部形成突部と、傾斜上面部を形成する傾斜上面部形成突部を有し、該傾斜上面部と該傾斜下面部との間に、前記側面部を底面部とする三角形状凹部が形成されており、該三角形状凹部は、少なくとも、前記上下方向と直交する左右方向で開放されている構成を採用している。
【００２６】
従って本発明によるときは、該定着具が土中やコンクリート中等の支持盤中に埋設された状態で、前記三角形状凹部に入り込んだ土やコンクリート等が周辺の土やコンクリート等の内部層と一体化状態になると、該定着具に引抜き荷重が付加されたときは、該三角形状凹部に抱え込まれて保持されている土等を介して前記傾斜上面部が周辺の土等を斜め上方に押圧する力が作用することになるので、定着具の引抜き抵抗力の増大が図られることになる。又、定着具に押し込み荷重が付加されたときは、前記三角形状凹部に抱え込まれて保持されている土等を介して前記傾斜下面部が周辺の土等を斜め下方に押圧するので定着具の支持力の増大が図られることとなる。
【００２７】
(2) 前記ジグザク状屈曲突部を、前記基体の対向する側面部の夫々に突設状態とし、前記三角形状凹部を、前記前後方向と前記左右方向の双方で開放状態となす場合は、該三角形状凹部に土等が入り込み易い。特に、定着具が打込み式杭に応用された場合は、その打込みにつれて三角形状凹部に土等が入り込んだ状態となり易く、杭を打込んだ直後から引抜き抵抗力の増大、支持力の増大を期し得ることとなる。
【００２８】
(3) 上下方向に長い平板状の基体の所要長さ部分を定着基体とすると共に、該定着基体をジグザグ状基体屈曲部とし、該ジグザグ状基体屈曲部が少なくとも１個のＶ字状基体屈曲部を具えたものとし、該ジグザグ状基体屈曲部の対向する側面部の夫々に、上下方向で屈曲するジグザク状屈曲突部を突設し、該ジグザク状屈曲突部は、少なくとも１個のＶ字状基体屈曲部を具えたものとして構成する場合は、定着具の軸線回りで見た４つの側面部分の夫々に三角形状凹部を構成できることとなる。これによって、該４つの側面部分の夫々に設けられている三角形状凹部に土等を入り込ませることができ、該土等を、夫々の三角形状凹部に保持された状態となし得る。これによって、前記傾斜上面部による周辺の土等の斜め上方への押圧作用や前記傾斜下面部による周辺の土等の斜め下方への押圧作用が、前後左右の４方向に亘って発揮されることになるので、定着具の引抜き抵抗力の一層の増大を図り得ると共に支持力の一層の増大を図り得ることとなる。
【００２９】
(4) 上下方向に長い平板状の基体の上側部分が構成する定着具上部を、ウエブ形成部の両端部分にフランジを設けることによって横断面Ｈ形を呈する如く構成する場合は、本発明に係る定着具が例えば、シート状物を地面に押えて固定するための打込み式のシート状物押え杭等としての打込み式杭として応用された場合は、横断面Ｈ形の構成による剛性増大によって、杭を地中に打ち込む際の杭折損の恐れを極力防止できることとなる。
【００３０】
(5) 前記ジグザグ状屈曲突部を、上に位置する前記傾斜下面部形成突部の下端と下に位置する前記傾斜上面部形成突部の上端とが連結されたものとして構成する場合は、前記ジグザグ状屈曲突部が前記基体を補強する補強リブとして機能して定着具の軸線方向の剛性増大が図られることとなる。この場合、前記ジグザグ状屈曲部を構成する前記傾斜下面部形成突部の下端と前記傾斜上面部形成突部の上端との間に垂直突部を介在させる場合は、定着具の軸線方向の剛性を一層増大させることができる。
【００３１】
これらによって、本発明に係る定着具を打込み式杭に応用した場合は、杭上端をハンマ−等で叩いて杭を地中に打ち込む際における杭折損の恐れを極力防止できることとなる。
【００３２】
(6) 本発明に係る定着具が打ち込み式杭に応用された場合において、前記定着具上部を横断面Ｈ形に構成し、前記ジグザグ状屈曲突部の上端を該Ｈ形を構成する前記フランジの下端に連結したときは、杭上端をハンマ−等で叩いた際の打撃荷重を該ジグザグ状屈曲突部を介して杭下端に向けて良好に伝達できることとなる。
【００３３】
この場合、前記基体の下端部分を、下方に向けて先細化する先細部として形成すると共に、前記ジグザグ状屈曲突部の下端を該先細部の上端に連結する場合は、杭上端をハンマ−等で叩いた際の打撃荷重を杭下端に向けて一層良好に伝達でき、これによって、杭折損の恐れをより効果的に防止でき、地中への杭の打ち込みをより確実且つ円滑に行い得ることとなる。
【００３４】
(7) 前記定着具上部を横断面Ｈ形に構成した場合、前記フランジ間の溝部に、傾斜面を具えた傾斜突部を設ける構成を採用する場合は、該傾斜面によって周辺の土を斜め上方に押圧する作用を発揮させることができるため、該傾斜面によっても補助的に、定着具の浮き上がりを防止できる。
【００３５】
(8) 前記傾斜下面部と前記傾斜上面部の、水平線に対する傾斜角度を４５〜６０度に設定することにより、該定着具の引き抜き抵抗力や支持力を、定着具が埋設される支持盤の軟らかさや硬さに応じて良好に発揮させ得るように設定できる。
【００３６】
(9) 定着具が杭に応用された場合において、前記基体に、斜め上方に突出するつの状抜け止め片を設ける場合は、該杭に浮き上がり作用が加わった場合、該つの状抜け止め片が外方に拡がって土に引っ掛かることにより、該杭の浮き上がりをより効果的に防止できることとなる。
【００３７】
このようにつの状抜け止め片を設ける場合、その基体に対する取付け部となる根元側の部分の外側面部を、外方に向けて先細となる、上下に長い刃状部として構成する場合は、該杭を地中に打ち込む際、該刃状部の切り入り作用によって、打込み時の抵抗を低減できる。
【００３８】
(10)前記刃状部を、前記三角形状凹部の下端側の部分に対応させて設けることとし、該刃状部は、その稜線が上下方向に延長する山形状を呈したものとし、その山形の傾斜側面を、前記三角形状凹部に向けて配置する構成を採用する場合は、前記杭の打込みにつれて前記刃状部で切り分けられた土を該傾斜側面に案内させて前記三角形状凹部に入り込ませ易くなる。
【００３９】
(11)本発明に係る定着具がシート状物押え杭に応用された場合において、前記基体の下端部分を、下方に向けて先細化する先細部として形成し、該先細部の下端部分を、下方に向けて鋭に形成されたシート状物突き刺し突部として構成する場合は、該シート状物突き刺し突部を該シート状物に無理なく突き刺すことができ、その後における前記シート状物押え杭の地面への突き刺しを容易化し得る。
【００４０】
又前記シート状物押え杭を、前記基体の上端が、板状を呈してシート状物を地面に向けて押える押え板の下面に連結されたものとし、該押え板の下面に、該押え板が押えたシート状物に食い込む食い込み突部が設けられたものとして構成する場合は、該食い込み突部をシート状物の表面部に食い込ませることができて該押え板によるシート状物の地面に対する押えをより確実化し得る。
【００４１】
(12)定着具の軸線回りで見た４つの側面部分の夫々に前記三角形状凹部が設けられる場合において、前記三角形状基体凹部の頂部と、前記ジグザグ状屈曲突部の有する三角形状凹部の頂部の、表裏対向側のものを上下位置ずれする如く構成する場合は、本発明に係る定着具が例えば杭として応用された場合、該杭の軸線方向の剛性を増大させて、杭の打込み荷重に対して杭強度を向上させることができる。
【図面の簡単な説明】
【００４２】
【図１】本発明に係るシート状物押え杭を示す斜視図である。
【図２】シート状物押え杭の部分拡大斜視図である。
【図３】シート状物押え杭の部分拡大斜視図である。
【図４】シート状物押え杭の上端側を示す斜視図である。
【図５】シート状物押え杭を示す正面図である。
【図６】上下の傾斜突部を示す断面図である。
【図７】シート状物押え杭の使用状態の一例を説明する説明図である。
【図８】シート状物押え杭の使用状態の他の例を説明する説明図である。
【図９】上下の傾斜突部による引抜き抵抗力の増大を説明する説明図である。
【図１０】シート状物押え杭の他の実施例を示す斜視図である。
【図１１】その部分拡大斜視図である。
【図１２】その部分拡大斜視図である。
【図１３】そのシート状物押え杭の使用状態の一例を説明する説明図である。
【図１４】そのシート状物押え杭の使用状態の一例を説明する説明図である。
【図１５】シート状物押え杭のその他の実施例を示す部分斜視図である。
【図１６】シート状物押え杭のその他の実施例を示す斜視図である。
【図１７】シート状物押え杭のその他の実施例を示す斜視図である。
【図１８】シート状物押え杭のその他の実施例を示す斜視図である。
【図１９】シート状物押え杭のその他の実施例を示す斜視図である。
【図２０】シート状物押え杭のその他の実施例を示す断面図である。
【図２１】シート状物押え杭のその他の実施例を示す断面図である。
【図２２】シート状物押え杭のその他の実施例を示す斜視図である。
【図２３】その使用状態を説明する説明図である。
【図２４】杭本体の先細部の他の態様示す斜視図である。
【図２５】前後対向側の三角形状凹部の頂部の上下位置ずれ状態を示す部分正面図である。
【図２６】軸線回りで見た４つの側面部分の夫々に三角形状凹部が設けられてなるシート状物押え杭において、Ｖ字状屈曲部を構成する傾斜下面部形成部の下端と傾斜上面部形成部の上端との間に垂直突部を介在させた場合を示す正面図である。
【図２７】ジグザグ状屈曲突部の他の態様を示す正面図である。
【図２８】ジグザグ状屈曲突部のその他の態様を示す部分正面図である。
【図２９】軸線回りで見た４つの側面部分の夫々に三角形状凹部が設けられてなる場合において、前記基体につの状抜け止め片を突設した場合を示す部分正面図である。
【図３０】三角形状凹部を形成する下向きの傾斜下面部と上向きの傾斜上面部の他の態様を示す部分正面図である。
【図３１】横断面Ｈ形を呈した定着具上部のフランジ間の溝部に、上下に長い一つの傾斜面を具える一つの傾斜突部が設けられてなるシート状物押え杭の他の実施例を示す部分斜視図と断面図である。
【図３２】紐状物を結着するための孔部が上端部分に設けられてなる杭として応用された定着具を示す斜視図である。
【図３３】アンカー具の一例を示す斜視図とその使用状態を示す説明図である。
【図３４】支持杭として応用された定着具をその使用状態で示す正面図である。
【図３５】支持杭として応用された定着具のその他の実施例をその使用状態で示す正面図である。
【図３６】引抜き抵抗力を増大させんとして構成された従来の杭の一例を示す斜視図である。
【発明を実施するための形態】
【実施例１】
【００４３】
図１〜８において本発明に係る定着具１は、上下方向Ｆ１に長い基体２の前後方向Ｆ２で見て対向する側面部３，３に、該上下方向Ｆ１にジグザグ状に屈曲するジグザグ状屈曲突部５を具えており、本実施例においては、シ−ト状物６（図７〜８）を地面４に押えて固定するために用いられる打込み式のシ−ト状物押え杭（以下、シ−ト状物押え杭とも言い、単に杭と言うこともある）７に応用されている。
【００４４】
該シ−ト状物押え杭７は、図４に示すように、前記上下方向Ｆ１に長い杭本体８としての前記定着具１の上端９が、円板状を呈して該シ−ト状物６を押える押え板１０の下面１１に連結されており（本実施例においては下面中央部に連結されており）、全体が、例えばＡＢＳ樹脂やＡＥＳ樹脂、ポリカーボネート等の合成樹脂を以て一体に形成されている。
【００４５】
該杭本体８は、図１〜３に示すように、前記上下方向Ｆ１に長い基体２の前後方向Ｆ２で見て対向する側面３，３の夫々に、該上下方向Ｆ１にジグザグ状に屈曲する前記ジグザグ状屈曲突部５，５が突設されており、該ジグザグ状屈曲突部５は、少なくとも１個のＶ字状屈曲部１２を具えている。該Ｖ字状屈曲部１２は、本実施例においては例えば二等辺三角形状を呈する三角形状凹部１３を形成している。本実施例において、前記前後方向Ｆ２は前記上下方向Ｆ１と直交する方向であり、該前後方向Ｆ２と直交する方向を左右方向Ｆ３と言う。
【００４６】
より具体的には、図１〜６に示すように、上下に長い略等幅の平板状の基体２の上側部分２ａがウエブ形成部１６（図２〜３）とされ、該ウエブ形成部１６の左右両端部分に左右（前記左右方向Ｆ３で見た左右）のフランジ１７，１７（図２〜３）が、前記前後方向Ｆ２で見て逆方向に突設されることによって横断面Ｈ形を呈した定着具上部１９（図１）が構成されると共に、該基体２の下側部分２ｂが定着具下部２０を構成している。
【００４７】
そして、前記定着具下部２０の、前記前後方向Ｆ２で見て対向する前記側面部３，３の夫々に、前記上下方向Ｆ１にジグザグ状に屈曲する前記ジグザグ状屈曲突部５，５が突設されている。該ジグザグ状屈曲突部５は、本実施例においては上下２個の前記Ｖ字状屈曲部１２，１２（図２〜３）を具えている。該Ｖ字状屈曲部１２は、下向きの傾斜下面部２３を形成する傾斜下面部形成突部２５と、上向きの傾斜上面部２６を形成する傾斜上面部形成突部２７を有し、上に位置する前記傾斜下面部形成突部２５の下端２９と下に位置する傾斜上面部形成突部２７の上端３０とが垂直突部３１を介して連結されており、該傾斜下面部２３と該傾斜上面部２６との間に、前記側面部３を底面部３２とする前記三角形状凹部１３が形成されている。該三角形状凹部１３は、図１〜３に示すように前記前後方向Ｆ２と前記左右方向Ｆ３の双方で開放されている。同図において、前後方向Ｆ２で見た開放端を符号３３ａで示し、左右方向Ｆ３で見た開放端を符号３３ｂで示している。
【００４８】
そして本実施例においては、前記基体２の、前後方向で見て対向する側面部３，３の夫々に設けられている前記両ジグザグ状屈曲突部５，５の、前記三角形状凹部１３，１３の頂部（本実施例においては前記垂直突部３１によって構成された垂直面部３５を以てなる）３６，３６の、該基体２の表裏に設けられているもの３６ａ，３６ｂが、図５に示すように、該基体２の左右側に位置している。
【００４９】
又図１〜３、図５に示すように、前記定着具下部２０の下端部分３７は、下方に向けて先細化した例えば円錐状を呈する先細部３９として形成されると共に、該先細部３９の下端部分は、下方に向けて鋭に形成された、例えば円錐状を呈するシート状物突き刺し突部４０とされている。
【００５０】
又、前記側面部３，３の夫々に設けられている前記ジグザグ状屈曲突部５，５の夫々は、図１〜３に示すように、その上端４１が、前記定着具上部１９を構成する前記左右のフランジ１７，１７の一側のもの（１７ａ又は１７ｂ）の下端４２に連結されており、又、該ジグザグ状屈曲突部５，５の夫々は、その下端４３が、前記先細部３９の上端４５に連結されている。
【００５１】
そして本実施例においては図１〜３、図６に示すように、前記定着具上部１９の前記フランジ１７，１７間の溝部５５の下端側の部分５６に、外方に向けて下方に傾斜する傾斜面５７を具えた上下の傾斜突部５９，６０が設けられている。両者共、両フランジ１７，１７の下端部６１，６１相互を連結する如く設けられており、上の傾斜突部５９は、該下の傾斜突部６０から上方に稍離して設けられており、該下の傾斜突部６０よりも突出量が小さく形成されている。そして該上の傾斜突部５９は、両フランジ１７，１７の下端部６１，６１相互を連結し、前記溝部５５の溝底面６２（図６）を基点として外方に向けて斜め下方に傾斜する傾斜面５７を具えている。本実施例においては、上下の傾斜突部５９，６０の傾斜面５７，５７は、同一の傾斜面上に存している。
【００５２】
又本実施例においては例えば図１〜５に示すように、前記定着具下部２０の下端側部位と、前記定着具下部２０の上端側部位に、前記基体２の左右方向Ｆ３で見て対向する側面６４，６４の夫々に左右対称に、斜め上方に向けて突出する先細のつの状抜止め片６６，６６が設けられている。該つの状抜止め片６６，６６は、本実施例においては図２〜３に拡大して示すように、その根元側部分の左右方向で見た外側面部６９が、左右方向で見た外方に向けて先細となる、上下に長い刃状部７０として構成されている。該刃状部７０は、本実施例においては図１〜３に示すように、前記三角形状凹部１３の下端側の部分に対応させて設けられており、且つ該上下に長い刃状部７０は、図３に示すように、その稜線７０ａが上下方向に延長する山形状を呈しており、その山形の側面７０ｂが該三角形状凹部１３に向けて配置されている。
【００５３】
かかる構成を有する杭本体８の主要部の寸法を例示すれば、前記杭本体８の長さは１８６ｍｍ程度に、前記杭本体８の左右幅（前記左右のフランジ１７，１７の、左右方向Ｆ３で見た外面間の間隔）は１２ｍｍ程度に、前記基体２の上側部分２ａの厚さは２．５ｍｍ程度で下側部分２ｂの厚さは４ｍｍ程度に、その左右幅は１２ｍｍ程度に、夫々設定されている。又、前記左右のフランジ１７，１７の厚さは２．５ｍｍ程度に、該左右のフランジ１７，１７間に形成される溝部５５の溝幅は７ｍｍ程度に、その溝深さは４．８ｍｍ程度に、前記傾斜上面部形成突部２７と前記傾斜下面部形成突部２５の厚さは３ｍｍ程度に、前記側面３，３からのその突出量は４ｍｍ程度に、前記傾斜上面部２６と前記傾斜下面部２３の傾斜方向で見た長さは１８ｍｍ程度に、前記頂部３６の上下長さは２．５ｍｍ程度に、前記上の傾斜突部５９の前記溝底面６２からの突出量は２．２ｍｍ程度に、前記下の傾斜突部６０の前記溝底面６２からの突出量は４．８ｍｍ程度に、夫々設定されている。又、前記つの状抜止め片６６の突出長さは１５ｍｍ程度に、その外側面部６９の幅は２．５ｍｍ程度に、その平面視での突出量は７．５ｍｍ程度に、夫々設定されている。又、前記傾斜上面部２６と前記傾斜下面部２３の水平線に対する傾斜角度θ（図５）は共に６０度程度に、前記上下の傾斜突部５９，６０の傾斜面５７の前記溝底面６２に対する傾斜角度は３０度程度に夫々設定されている。
【００５４】
前記押え板１０は、直径が５０ｍｍ程度で最大厚さが８ｍｍ程度の円板状に形成されており、その下面７１には、該押え板１０が押えたシ−ト状物（例えば防草シ−ト）６の表面部７２（図７〜８）に食い込む食込み突部７３が多数設けられている。本実施例においては該食い込み突部７３は突条として構成されているが、点状の突起として構成されてもよい。
【００５５】
かかる構成を有するシ−ト状物押え杭７を用いて、図７、図８に示すように、地面４（図７においては水平面、図８においては法面）を覆う例えば防草シ−トとしてのシ−ト状物６を押えてこれを該地面４に固定するに際しては、前記杭本体８の下端に設けられている前記シート状物突き刺し突部４０を該シ−ト状物６に突き刺して後、前記先細部３９を地面４に突き刺す。その後、前記押え板１０の上面７６をハンマ−等で叩くことによって該杭本体８を地中７７に打ち込む。この打ち込みは、前記定着具下部２０の下端部分が下方に向けて先細化する先細部３９として形成されているため、該杭本体８を地中に比較的容易に打ち込むことができる。なお、前記つの状抜止め片６６，６６は、該杭本体８を地中に打ち込む際の抵抗となるが、前記のように、該つの状抜止め片６６，６６の根元側部分の外側面部が上下に長い刃状部７０，７０として構成されているため、該刃状部７０，７０の切り入り作用によって、該杭本体８を地中７７に打ち込む際の抵抗を低減できる。
【００５６】
ところで、該杭本体８を地中に打ち込む際、その初期段階にあっては打ち込み抵抗が小さいが、打ち込み深さが深くなるにつれて、打ち込み抵抗が大きくなる。特に硬い地盤に打ち込む際は、打ち込みにつれて地面からの杭本体８の突出長さが短くなる結果、該突出部分の撓み性が低減して杭の上側部分で極部的に応力集中が生じ易い。かかることから、前記押え板１０の上面７６を打撃して該杭本体８を打ち込む際に、該杭本体８の軸線方向に対して稍横ずれした状態で前記押え板１０が打撃されたような場合は、前記応力集中によって該杭本体８がその上側部分で折損する恐れがある。
【００５７】
本実施例に係るシ−ト状物押え杭７は、上下に長い平板状の前記基体２を具えるため、前記杭本体８の強度を、先ず該基体２で確保できる。又、折損し易い前記定着具上部１９が、横断面Ｈ形に構成されて剛性が増大されている。加えて、前記対向する側面部３，３の夫々に設けられている前記ジグザグ状屈曲突部５，５が前記基体２を補強する補強リブとして機能している。更に本実施例においては、前記ジグザグ状屈曲突部５を構成する前記Ｖ字状屈曲部１２が、前記傾斜下面部形成突部２５と前記傾斜上面部形成突部２７の間に前記垂直突部３１が介在されていて、杭本体８の軸線方向での剛性が一層増大されている。更に、上下方向に連続する前記ジグザグ状屈曲突部５，５の上端４１を、前記定着具上部１９を構成する前記フランジ１７の下端４２に連結させると共に、該ジグザグ状屈曲突部５の下端４３を前記先細部３９の上端４５に連結させて、前記押え板１０の上面７６をハンマ−等で叩いた際の打撃荷重を該杭本体８の下端に向けて良好に伝達できるようになされている。
【００５８】
かかることから、前記押え板１０の上面７６をハンマ−等で叩いて前記杭本体８を地中に打ち込む際、該杭本体８の折損の恐れを極力防止できて該杭本体８の地中への打ち込みを確実且つ円滑に行うことができるのである。
【００５９】
図７〜８は、前記杭本体８が地中７７に打ち込まれた状態を示しており、前記押え板１０の下面７１に設けられている前記食い込み突部７３が前記シ−ト状物６の表面部７２に食い込んだ状態で該押え板１０の下面７１が該シ−ト状物６の表面部７２に当接している。これによって、該押え板１０によるシート状物６の地面４に対する押えをより確実化し得る。
【００６０】
そして、かかる構成のシ−ト状物押え杭７を地中に打ち込む際、前記三角形状凹部１３が、前記前後方向Ｆ２と前記左右方向Ｆ３で開放されているため、前記杭本体８の打ち込みにつれて、土圧の作用により、該杭本体８の対向側の夫々に設けられている前記三角形状凹部１３に土が順次入り込み易く、該入り込んだ土７９が該三角形状凹部１３に抱え込まれた状態となり、夫々の三角形状凹部１３に保持される。又前記杭本体８の打ち込みにつれて、前記フランジ１７，１７間の溝部５５にも土７９が入り込んだ状態となる。そして実施例においては図３に示すように、前記上下に長い刃状部７０が前記三角形状凹部１３の下端側の部分に対応させて設けられると共に該刃状部７０は、その山形の傾斜側面７０ｂが該三角形状凹部１３に向けて配置されているため、該杭本体８の打ち込みにつれて該刃状部７０で切り分けられた土が該傾斜側面７０ｂに案内されて該三角形状凹部１３に入り込み易い。
【００６１】
然して、該三角形状凹部１３に入り込んで該三角形状凹部１３に保持されている土７９が周辺の土７９ａと一体化状態になると、前記シ−ト状物押え杭７に引抜き作用が加わった場合は、図７、図８に矢印で示すように、該保持されている土７９を介して、前記上向きの傾斜上面部２６が周辺の土７９ａを斜め上方に押圧して該周辺の土７９ａを斜め上方に持ち上げようとする力が作用することとなる。その結果、シ−ト状物押え杭７の引抜き抵抗力が増大して該杭７の浮き上がりが効果的に防止されることとなる。特に本実施例においては、前記杭本体８に前記つの状抜止め片６６，６６、６６，６６が設けられているため、前記シ−ト状物押え杭７に浮き上がり作用が加わった場合、各つの状抜け止め片６６が外方に拡がって土に引っ掛かることにより、該杭７の浮き上がりがより効果的に抑制される。又、前記フランジ１７，１７間の溝部５５で設けられている前記上下の各傾斜面５７も、図９に矢印で示すように、その周辺の土７９ａを斜め上方に押圧する作用を発揮するため、左右に位置する上下の傾斜面５７，５７、５７，５７によっても、補助的に、シ−ト状物押え杭７の浮き上がりを防止できる。かかることから本発明によるときは、柔らかい地盤であっても、前記杭本体８を地中に打ち込んだ直後から、シ−ト状物押え杭７の引抜き抵抗力の増大が図られることとなる。
【実施例２】
【００６２】
図１０（Ａ）は、本発明に係る定着具１の他の実施例を示すものであり、実施例１における場合と同様に、シ−ト状物６を地面４に押えて固定するために用いられる、打ち込み式のシ−ト状物押え杭７に応用されている。
【００６３】
該シート状物押え杭７は、上下に長い杭本体８としての定着具１の上端９（図１３〜１４）が、円板状を呈して該シ−ト状物６を押える押え板１０の下面に連結されており（実施例においては下面中央部に連結されており）、該杭本体８は、その軸線回りで見た４つの側面部分の夫々に三角形状凹部１３が設けられており、全体が、例えばＡＢＳ樹脂やＡＥＳ樹脂、ポリカーボネート等の合成樹脂を以て一体に形成されている。  
【００６４】
該杭本体８は、図１０に示すように、上下に長い基体２の、前後方向Ｆ２で見て対向する側面部３，３の夫々に、上下方向Ｆ１にジグザグ状に屈曲する前記ジグザグ状屈曲突部５，５が突設されており、該ジグザグ状屈曲突部５は、少なくとも１個のＶ字状屈曲部１２を具え、該Ｖ字状屈曲部１２は三角形状凹部１３を形成している。なお本実施例においては、前記前後方向Ｆ２と直交する方向を左右方向Ｆ３と言う。
【００６５】
より具体的には、図１０（Ａ）に示すように、上下に長い略等幅の平板状の基体２の上側部分２ａが定着具上部８１を構成すると共に、該基体２の下側部分２ｂが定着基体８２を構成している。該定着具上部８１は、該上側部分２ａがウエブ形成部１６とされ、該ウエブ形成部１６の、前記左右方向Ｆ３で見た左右両端部分にフランジ１７，１７が、前記前後方向Ｆ２で見て逆方向に突設されることによって、横断面Ｈ形を呈する如くなされている。
【００６６】
そして前記定着基体８２は、図１０（Ｂ）に示すように、上下方向にジグザグ状に屈曲する平板状のジグザグ状基体屈曲部８３とされ、該ジグザグ状基体屈曲部８３は、本実施例においては上下４個のＶ字状基体屈曲部８５，８５，８５を具えている。該Ｖ字状基体屈曲部８５は、下向きの傾斜基体下面部８６を形成する傾斜下面部形成部８７と、上向きの傾斜基体上面部８９を形成する傾斜上面部形成部９０を有し、上に位置する該傾斜下面部形成部８７の下端９１と下に位置する該傾斜上面部形成部９０の上端９２とが連結されており、該傾斜基体下面部８６と該傾斜基体上面部８９との間に、例えば二等辺三角形状を呈する三角形状基体凹部９３が形成されている。該三角形状基体凹部９３は、図１０（Ｂ）に示すように前記前後方向Ｆ２と前記左右方向Ｆ３で開放されている。同図において、前後方向Ｆ２で見た開放端を符号３４ａで示し、左右方向Ｆ３で見た開放端を符号３４ｂで示している。
【００６７】
そして、前記定着基体８２の下端部分９５は、下方に向けて先細化した例えば円錐状を呈する先細部３９として形成されると共に、該先細部３９の下端部分は、下方に向けて鋭に形成された、例えば円錐状を呈するシート状物突き刺し突部４０とされている。
【００６８】
又前記定着基体８２の、前記前後方向Ｆ２で見て対向する、ジグザグ状に屈曲する前記側面部（前記傾斜基体下面部８６と前記傾斜基体上面部８９とが連続して設けられている面部）３，３の夫々に、図１０（Ａ）に示すように、上下方向にジグザグ状に屈曲する前記ジグザグ状屈曲突部５，５を具えている。該ジグザク状屈曲突部５は、少なくとも１個のＶ字状屈曲部１２を具える。該Ｖ字状屈曲部１２は、前記三角形状基体凹部９３を前記左右方向Ｆ３で左右分割する如くなされている。
【００６９】
そして該Ｖ字状屈曲部１２は、図１１に示すように、下向きの傾斜下面部２３を形成する傾斜下面部形成部２５と、上向きの傾斜上面部２６を形成する傾斜上面部形成部２７を有し、上に位置する前記傾斜下面部形成部２５の下端２９と下に位置する傾斜上面部形成部２７の上端３０とは連結されており、該傾斜下面部２３と該傾斜上面部２６との間に、前記側面部３を底面部３２とする前記三角形状凹部１３が形成されている。
【００７０】
又、図１２に示すように、前記傾斜基体下面部８６の右側部分８６ａ（以下、傾斜下面部２３ともいう）と前記傾斜基体上面部８９の右側部分８９ａ（以下、傾斜上面部２６ともいう）との間に、及び、前記傾斜基体下面部８６の左側部分８６ｂ（以下、傾斜下面部２３ともいう）と前記傾斜基本上面部８９の左側部分８９ｂ（以下、傾斜上面部２６ともいう）との間に、夫々、前記ジグザク状屈曲突部５が構成する前記傾斜下面部２３と前記傾斜上面部２６とを底面部３２とする三角形状凹部１３が形成されている。該三角形状凹部１３は、図１２に示すように前記前後方向Ｆ２と前記左右方向Ｆ３で開放されている。同図において、前後方向Ｆ２で見た開放端を符号３３ａで示し、左右方向Ｆ３で見た開放端を符号３３ｂで示している。
【００７１】
図１０において、前記定着具上部８１と、前記定着基体８２の内、前記ジクザグ状基体屈曲部８３とされてなる部分、即ち、前記先細部３９よりも上側の部分の寸法を例示すれば、本実施例においては、前記前後方向Ｆ２で見た幅寸法と前記左右方向Ｆ３で見た幅寸法が略等しく設定されており、本実施例においては１５ｍｍ程度に設定されている。
【００７２】
前記ジグザグ状基体屈曲部８３の、前記三角形状基体凹部９３の頂部９７と、前記ジグザグ状屈曲突部５の有する前記三角形状凹部１３の頂部３６は同高さに設定してもよいのであるが、本実施例においては図１０（Ａ）、図１３〜１４に示すように、上下に位置ずれさせてある。例えば図１４に基づいて説明すれば、該三角形状凹部１３の頂部３６の位置を、該三角形状基体凹部９３を構成する前記傾斜基体上面部８９の傾斜方向で見た略中央部位と、前記傾斜基体下面部８６の傾斜方向で見た略中央部位に設定している。前記シート状物押え杭７を硬い土に打ち込む場合は、打ち込み時の抵抗が増大して、前記杭本体８が折損する恐れがあるが、両頂部９７，３６の上下位置をこのようにずらすことにより、該杭本体８の剛性を増大させて、杭の打ち込み荷重に対して杭強度を向上させることができる。
【００７３】
そして図１０（Ａ）に示すように、前記ジグザグ状屈曲突部５の上端４１が、前記フランジ１７の下端４２に連結されると共に、前記ジグザグ状屈曲突部５の下端４３が前記先細部３９の上端４５に連結されている。そして本実施例においても実施例１における場合と同様にして、前記定着具上部８１の前記フランジ１７，１７間の溝部５５の下端側の部分に、外方に向けて下方に傾斜する傾斜面５７を具えた上下の傾斜突部５９，６０を設けることができる。なお図１０（Ａ）においては、該上下の傾斜突部５９，６０が設けられていない。
【００７４】
かかる構成を有するシ−ト状物押え杭７を用いて、地面４を覆う例えば防草シ−トとしてのシ−ト状物６を押えてこれを地面４に固定する要領は、実施例１で説明したところと同様であって、前記杭本体８の下端に設けられている前記シート状物突き刺し突部４０を該シ−ト状物６に突き刺して後、前記先細部３９を地面に突き刺す。その後、図１３〜１４に示すように、前記押え板１０の上面７６をハンマ−等で叩くことによって該杭本体８を地中に打ち込む。この打ち込みは、前記定着具基体８２の下端部分が先細部３９として形成されているため、該定着具基体８２を地中に比較的容易に打ち込むことができる。
【００７５】
そして本実施例においては前記のように、折損しやすい前記定着具上部８１が横断面Ｈ形に構成されて剛性が増大されている。加えて、該定着具基体２の前記前後対向する側面部３，３の夫々に設けられている前記ジグザグ状屈曲突部５，５が前記定着基体８２を補強する補強リブとして機能している。更に、上下方向に連続する前記ジグザグ状屈曲突部５の上端４１を、前記フランジ１７の下端４２に連結させると共に、該ジグザグ状屈曲突部５の下端４３を前記先細部３９の上端４５に連結させて、前記押え板１０の上面７６をハンマ−等で叩いた際の打撃荷重を前記杭本体８の下端に向けて良好に伝達できるようになされている。
【００７６】
かかることから、前記押え板１０の上面７６をハンマ−等で叩いて前記杭本体８を地中に打ち込む際、該杭本体８の折損の恐れを極力防止できて該杭本体８の地中７７への打ち込みを確実且つ円滑に行うことができるのである。図１３〜１４は、前記杭本体８が地中７７に押し込まれた状態を示しており、前記押え板１０の下面７１に設けられている前記食い込み突部７３が前記シ−ト状物６の表面部７２に食い込んだ状態で該押え板１０の下面７１が該シ−ト状物６の表面部７２に当接している。
【００７７】
そして、かかる構成を有するシ−ト状物押え杭７を地中に打ち込む際、前記三角形状凹部１３が、前記前後方向Ｆ２と前記左右方向Ｆ３で開放されているため、前記杭本体８の打ち込みにつれて、土圧の作用により、該杭本体８の前記４つの側面部分の夫々に設けられている前記三角形状凹部１３に土が順次入り込み易く、該入り込んだ土が該三角形状凹部１３に抱え込まれた状態となり、土が、夫々の三角形状凹部１３に確実に保持される。
【００７８】
従って、該入り込んだ土７９が周辺の土７９ａと一体化状態になると、前記シ−ト状物押え杭７に引抜き作用が加わった場合は、図１３〜１４に矢印で示すように、該三角形状凹部１３に保持されている前記土７９を介して、前記上向きの傾斜上面部２６が、周辺の土７９ａを斜め上方に押圧して該周辺の土７９ａを斜め上方に持ち上げようとする力が作用することとなる。そして、かかる土の持ち上げ作用は、４方向の夫々について発揮されることとなる。その結果、シ−ト状物押え杭７の引抜き抵抗力が増大して該シ−ト状物押え杭７の浮き上がりが効果的に防止されることとなる。かかることから、柔らかい地盤であっても、シ−ト状物押え杭７の引抜き抵抗力の一層の増大が図られることとなる。
【００７９】
図１５は、前記三角形状凹部１３が杭本体８の軸線回りで見た４つの側面部分の夫々に設けられてなるシート状物押え杭７の他の実施例を示すものであり、図１０（Ａ）に示すシート状物押え杭７と相違するのは前記基体２の構成にある。
【００８０】
本実施例においては、上下に長い平板状の基体２の上側部分２ａが定着具上部８１を構成すると共に、該基体２の下側部分２ｂが定着基体８２を構成しており、該定着具上部８１が、ウエブ形成部１６の、前記左右方向Ｆ３で見た左右両端部分に、前記前後方向Ｆ２で見て逆方向にフランジ１７，１７が突設されることによって横断面Ｈ形を呈する如くなされている点においては、図１０に示すシート状物押え杭７と共通している。
【００８１】
本発明に係るシート状物押え杭７が図１０に示すものと相違するのは、図１５に示すように、前後方向Ｆ２で見て逆方向に突出する前記フランジ１７，１７が構成する左右の板状部９４，９４の一方が前記基体２を構成している点であり、前記定着基体８２は、上下方向にジグザグ状に屈曲するジグザグ状基体屈曲部８３とされ、該ジグザグ状基体屈曲部８３は、少なくとも１個のＶ字状基体屈曲部８５を具える。該Ｖ字状基体屈曲部８５は、下向きの傾斜基体下面部８６を形成する傾斜下面部形成部８７と、上向きの傾斜基体上面部８９を形成する傾斜上面部形成部９０を有し、該傾斜下面部８６と該傾斜上面部８９との間に三角形状基体凹部９３が形成されている。又、前記ジグザグ状基体屈曲部８３の前後対向する側面部３，３の夫々に、上下方向にジグザグ状に屈曲するジグザグ状屈曲突部５が突設されており、該ジグザグ状屈曲突部５は、少なくとも１個のＶ字状屈曲部１２を具えている。そして図１０（Ａ）に示す場合と同様にして、前記杭本体８の軸線回りで見た４つの側面部分の夫々に三角形状凹部１３が設けられている。図１５においては、図１０（Ａ）におけると同様の部分に同一の符号が付されている。
【００８２】
かかる構成を有するシ−ト状物押え杭７を地中に打ち込む際、前記杭本体８の打ち込みにつれて、土圧の作用によって該杭本体８の４つの側面部分の夫々に設けられている前記三角形状凹部１３に土が順次入り込み易く、該入り込んだ土が、前記と同様にして該三角形状凹部１３に抱え込まれた状態となり、夫々の三角形状凹部１３に保持される。
【００８３】
従って、該入り込んだ土が周辺の土と一体化状態になると、前記シ−ト状物押え杭７に引抜き作用が加わった場合は、該三角形状凹部１３に保持されている土を介して、例えば図１３〜１４に矢印で示すと同様にして、前記上向きの傾斜上面部２６が、周辺の土７９ａを斜め上方に押圧して該周辺の土７９ａを斜め上方に持ち上げようとする力が作用することとなる。そして、かかる土の持ち上げ作用は、前記４つの側面部分の夫々で発揮されることとなる。その結果、シ−ト状物押え杭７の引抜き抵抗力が増大して該シ−ト状物押え杭７の浮き上がりが効果的に防止されることとなる。かかることから、柔らかい地盤であっても、シ−ト状物押え杭７の引抜き抵抗力の一層の増大が図られることとなる。
【実施例３】
【００８４】
本発明は、前記実施例で示したものに限定されるものでは決してなく、「特許請求の範囲」の記載内で種々の設計変更が可能であることはいうまでもない。その一例を挙げれば次のようである。
【００８５】
(1) 図１６は、本発明に係るシ−ト状物押え杭７のその他の実施例を示すものであり、実施例１で説明したシ−ト状物押え杭７において、上下に長い杭本体８としての前記定着具１の定着具上部１９が、図１６（Ｂ）に示すように横断面十字状に構成されている。本実施例においては、前記平板状の基体２の上側部分２ａで、前後方向Ｆ２で見て対向する側面部３，３の長手中心線に沿って上下方向Ｆ１に延長する突条部１０１，１０１が突設されている。そして前記ジグザグ状屈曲突部５の上端４１が、該前後対向する側面部３，３で突設されている対応の突条部１０１の下端１０２に連結されている。かかる構成を有するシ−ト状物押え杭７にあっても、その三角形状凹部１３等が、実施例１で説明したところと同様の作用効果を奏する。
【００８６】
(2) 図１７は、本発明に係るシ−ト状物押え杭７のその他の実施例を示すものであり、実施例１に係るシ−ト状物押え杭７において、前記定着具上部１９が、前記フランジ１７，１７が設けられることなく平板状の基体２のままとされると共に、前記ジグザグ状屈曲突部５が該基体２の上端に向けて延長されており、前後方向で見て対向する側面部３，３の夫々に設けられている該ジグザグ状屈曲突部５，５の上端が前記押え板１０の下面１１に連結されている。なお、図１７に示すシ−ト状物押え杭７にあっては、引抜き抵抗力の増大に寄与する前記三角形状凹部１３が多数個設けられている。
【００８７】
(3) 図１８は、本発明に係るシ−ト状物押え杭７のその他の実施例を示すものであり、前記杭本体８を構成する、上下に長い基体２の前記先細部３９の上端４５から前記杭本体８の上端との間が、ウエブ形成部１６の左右両端にフランジ１７，１７が設けられて横断面Ｈ形を呈している。そして、該フランジ１７，１７の外面からなる、上下に長い基体２の表裏対向する側面部３，３に、実施例１で説明したところと略同様の構成で、上下方向にジグザグ状に屈曲するジグザグ状屈曲突部５，５が突設されている。該ジグザグ状屈曲突部５は図１８においては、該基体２の下側部分に設けられており、夫々のジグザグ状屈曲突部５，５は３個のＶ字状屈曲部１２，１２を有している。該Ｖ字状屈曲部１２が形成する三角形状凹部１３は、実施例１で説明したところと同様の構成を有しており、同様の作用効果を奏して、シ−ト状物押え杭７の引抜き抵抗力の増大に寄与する。
【００８８】
(4) 図１９〜２１は、本発明に係る定着具１を応用して構成されたシート状物押え杭７のその他の実施例を説明するものである。図１９に示すシート状物押え杭７は、前記基体２が、横断面正方形状を呈する角柱状に構成されており、前記杭本体８の軸線回りで見た４つの側面部３，３，３，３の夫々に、上下方向にジグザク状に屈曲するジグザグ状屈曲突部５が突設されている。図２０は、前記基体２を、横断面円形を呈する円柱状に構成した場合を示すものであり、周方向に例えば１２０度の角度ピッチで３本のジグザグ状屈曲突部５，５，５が突設されている。又図２１は、前記基体２を、横断面楕円形を呈する楕円形柱状に構成した場合を示すものであり、例えば対向する側面部３，３にジグザグ状屈曲突部５が突設されている。
【００８９】
かかる構成を有するジグザグ状屈曲突部５が具える前記Ｖ字状屈曲部１２は、実施例１で説明したところと同様の作用効果を奏し、シート状物押え杭７の引抜き抵抗力の増大に寄与する。
【００９０】
(5) 図２２は、シ−ト状物押え杭７のその他の実施例を示すものであり、前記先細部３９よりも上側の部分の略全体が、上下方向Ｆ１に長く形成され且つ間隔を隔てて対向する平板状の基体２，２間に上下方向Ｆ１にジグザグ状に屈曲するジグザグ状屈曲突部５が介在されてなる。該ジグザグ状屈曲突部５は、該両基体２，２の側面部３，３に突設された構成を有している。該ジグザグ状屈曲突部５は、本実施例においては基体２，２の略全長に亘って設けられているが、該基体２，２の下側部分２ｂにだけ設けられる等、部分的に設けられてもよい。
【００９１】
該ジグザグ状屈曲突部５の具える前記Ｖ字状屈曲部１２は、下向きの傾斜下面部２３を形成する傾斜下面部形成突部２５と、上向きの傾斜上面部２６を形成する傾斜上面部形成突部２７を有し、該傾斜上面部２６と該傾斜下面部２３との間に、前記側面部３，３を底面部３２とする三角形状凹部１３が形成されている。そして該三角形状凹部１３は、前記ジグザグ状屈曲突部５の幅方向としての前後方向Ｆ２と直交する左右方向Ｆ３で開放されている。
【００９２】
かかる構成を有する杭本体８は、前記平板状の基体２，２間に三角形状凹部１３が形成されているため、該杭本体８を図２３に示すように地中７７に打ち込んだ際、前記三角形状凹部１３が前記前後方向Ｆ２には開放されていないため、実施例１や実施例２で示したシ−ト状物押え杭７とは異なり、杭本体８の打ち込みにつれて前記三角形状凹部１３に土７９が順次入り込むこということは期待しにくい。そのため、引抜き抵抗力の増大に即効性が乏しく、ある程度の日数を要することは否めないが、杭本体８を打ち込んだ後における降雨等の影響によって、そのうちに該三角形状凹部１３に土７９が入り込んだ状態となり得る。このように入り込んだ土７９は該三角形状凹部１３に保持された状態となる。
【００９３】
然して、このように入り込んだ土７９が周辺の土７９ａと一体化状態になると、該シ−ト状物押え杭７に引抜き作用が加わった場合は、図２３に矢印で示すように、該三角形状凹部１３に保持されている土７９を介して、前記上向きの傾斜上面部２６が、周辺の土７９ａを斜め上方に押圧して該周辺の土７９ａを斜め上方に持ち上げようとする力が作用することとなる。その結果、シ−ト状物押え杭７の引抜き抵抗力が増大して該シ−ト状物押え杭７の浮き上がりが効果的に防止されることとなる。
【００９４】
(6) 前記杭本体８の下端部分３７を先細部３９として構成する場合、該先細部３９は前記した円錐状の先細部３９として構成することの他、例えば図２４に示すような四角錐状を呈する先細部３９等、各種の先細形態に構成できる。なお該杭本体８が、かかる先細部３９を有さない場合もある。
【００９５】
(7) 実施例１、実施例２に係るシ−ト状物押え杭７において、上下に長い基体２の前記前後方向で見た前後対向する側面部３，３の夫々に設けられているジグザグ状屈曲突部５，５が構成する前記三角形状凹部１３の前記頂部３６の前後対向側のもの３６ａ，３６ｂが、図２５に示すように上下位置ずれする如く構成されることもある。
【００９６】
(8) 図２６は、実施例２に係るシート状物押え杭７において、前記Ｖ字状基体屈曲部８３を、上に位置にする傾斜下面部形成部８７の下端９１と、下に位置する傾斜上面部形成部９０の上端９２とを、垂直突部１０５を介して連結した場合を示すものである。このように垂直突部１０５を介在させることにより、杭の打ち込み荷重に対する強度を向上させることができる。この場合、前記ジグザグ状屈曲突部５にも、図２に示すと同様の垂直突部を設けることができる。
【００９７】
(9) 図２７は、前記ジグザグ状屈曲突部５を構成するに際し、上に位置する前記傾斜下面部形成突部２５の下端２９と、下に位置する前記傾斜上面部形成突部２７の上端３０とを直接連結した場合を示すものである。
【００９８】
(10)三角形状凹部１３に入り込んだ土が該三角形状凹部１３に抱え込まれて該三角形状凹部１３に保持されるのであれば、例えば図２８（Ａ）（Ｂ）に示すように、上に位置する傾斜下面部形成突部２５の下端２９と、下に位置する前記傾斜上面部形成突部２７の上端３０との間に若干の間隙１０４を形成してもよい。
【００９９】
(11)前記杭本体８を構成する前記基体２は、その上端からその下端に向けて細くなるように構成されることもある。
【０１００】
(12)前記ジグザグ状屈曲突部５を構成する前記下向きの傾斜下面部２３、上向きの傾斜上面部２６の、水平線に対する傾斜角度は、前記三角形状凹部１３に抱え込まれて保持されている土７９を介して、該上向きの傾斜上面部２６周辺の土７９ａを斜め上方に押圧して該周辺の土７９ａを斜め上方に持ち上げようとする力を作用させることができるように設定される。例えば図５において、この傾斜角度θは、好ましくは４５〜６５度の範囲で設定できる。この範囲は、土質等に応じて所望の引抜き抵抗力や所要の支持力が得られるように所要に設定されるものである。
【０１０１】
(13)実施例２に係るシート状物押え杭７においても例えば図２９に示すように、前記つの状抜け止め片６６を同様に設けることができ、又図３に示すと同様の構成で、溝部５５に、前記上下の傾斜突部５９，６０を設けることができる。なお実施例１、実施例２に係るシート状物押え杭７，７において、前記Ｖ字状屈曲部１２によるシート状物押え杭７の引抜き抵抗力の増大が所要に発揮されるならば、前記つの状抜け止め片６６や前記上下の傾斜突部５９，６０を省略してもよい。
【０１０２】
(14)前記つの状抜止め片６６は、該基体２の適当部位に設けることができる。例えば実施例１で示したように、前記基体２につの状抜止め片６６を設ける場合、これを左右対称に設ける必要はなく、上下方向に千鳥配置で設けることもできる。
【０１０３】
(15)前記Ｖ字状屈曲部１２を構成する前記下向きの傾斜下面部２３と前記上向きの傾斜上面部２６は、前記各実施例においては直線状の傾斜面として構成されているが、該Ｖ字状屈曲部１２によるシート状物押え杭７の引抜き抵抗力の増大を図り得る限り、例えば図３０（Ａ）（Ｂ）に示すように湾曲面として構成されることもある。このことは、Ｖ字状基体屈曲部８５を構成する前記下向きの傾斜下面部８６と前記上向きの傾斜上面部８９についても同様である。
【０１０４】
(16)本発明において前記ジグザグ状屈曲突部５は、１個のＶ字状屈曲部１２を具えるものとして構成されることもある。
【０１０５】
(17)実施例１や実施例２で示した、横断面Ｈ形を呈した前記定着具上部１９の前記フランジ１７，１７間の溝部５５に、前記した上下の傾斜突部５９，６０を設ける構成に代えて、例えば図３１に示すように、上下に長い一つの傾斜面５７を具える一つの傾斜突部１０６を設けてもよい。
【０１０６】
(18)実施例２に係るシート状物押え杭７において、杭に付加され打撃荷重に対して所要の杭強度を確保し得る限り、前記三角形状基体凹部９３の前記基体頂部９７と前記三角形状凹部１３の頂部３６の高さを合致させてもよい。
【０１０７】
(19)本発明に係る定着具１が、引抜き抵抗力の増大を期待して用いられる場合、該定着具１は、樹脂シートや繊維補強の樹脂シート、不織布、ネット材等からなる各種のシート状物を地面等に押えて固定する際に使用できる他、テント等の屋外設置物、その他の各種設置物の浮き上がりを防止するために使用できる。図３２はその一例を示すもので、地中に打ち込まれる杭として構成されており、実施例１に係るシート状物押え杭７における前記押え板１０が省略され、前記杭本体８の上端部分に、紐状物を結着するための孔部１０７が設けられている。
【０１０８】
引抜き抵抗力の増大を期待して用いられる定着具１は、図７に示すように地面４に垂直状態で打ち込まれたり埋設されて使用されることの他、図８に示すように法面１０９（地面４）に斜め方向に打ち込まれたり埋設されて使用されることがあり、更には、垂直な壁面や天井面に対して打ち込まれたり埋設されて使用されることもある。
【０１０９】
又、かかる定着具１は、地中に打ち込まれる杭として構成されることの他、コンクリート等の支持盤に打ち込まれたり埋設されるアンカー具として構成されることもある。図３３（Ａ）は、端部分がボルト軸１１０として構成されたアンカー具１１１を示している。図３３（Ｂ）においては、前記ジグザグ状基体屈曲部８３が設けられている部分がコンクリート１１２に埋設されており、コンクリート面１１３から突出する該ボルト軸１１０と該ボルト軸１１０に螺合するナット１１５を用いて、例えば、建築物等の支柱１１６のベースプレート１１７が該コンクリート面１１３に固定されている。
【０１１０】
(20)本発明に係る定着具１は、支持力の増大を期待して支持杭等として用いられることもある。図３４はその一例を示すものであり、同図には、前記基体２の上端部分１１８が地面４から稍突出しており、該突出部の上端１１９に押し込み荷重（図３４においては下方向への荷重）が付加されている状態が示されている。この状態で、前記三角形状凹部１３に入り込んだ土７９が該三角形状凹部１３に密実な圧縮状態で抱え込まれている。そして、該三角形状凹部１３に保持されている土７９を介して、前記下向きの傾斜上面部２３が、周辺の土７９ａを斜め下方に押圧している。これによって、該定着具１の支持力の増大が図られている。
【０１１１】
特に、ジグザグ状屈曲突部５が基体２の上端側にまで設けられている図３５に示す定着具１にあっては、下向きの傾斜下面部２３が、基体２の下側部分２ｂだけでなく上側部分２ａにも設けられた状態にあるため、一層の支持力の増大を期し得る。
【０１１２】
(21)本発明に係る定着具１は、例えば全体をコンクリート製としたり鉄製とすることによって、建築用や土木用に用い得る大型の長い杭として応用することもできる。本発明に係る定着具１が比較的長いものとして構成される場合は、前記Ｖ字状屈曲部１２が、上下方向に間隔を置いて複数段に設けられることもある。
【０１１３】
(22)本発明に係る定着具１を杭として構成する場合、該杭を地面に打ち込むことの他、地面に設けた掘削孔に該杭を挿入して後に土砂を埋め戻すことによって、前記ジグザグ状突部５が設けられている部分を地中に埋設状態とすることもできる。
【０１１４】
(23)前記Ｖ字状屈曲部１２を構成する下向きの傾斜下面部２３の傾斜方向の長さと、上向きの傾斜上面部２６の傾斜方向の長さが異なる場合もある。
【符号の説明】
【０１１５】
１  定着具
２  基体
３  側面部
５  ジグザグ状屈曲突部
６  シート状物
７  シート状物押え杭
８  杭本体
１０  押え板
１１  下面
１２  Ｖ字状屈曲部
１３  三角形状凹部
１６  ウエブ形成部
１７  フランジ
１９  定着具上部
２０  定着具下部
２３  傾斜下面部
２５  傾斜下面部形成突部
２６  傾斜上面部
２７  傾斜上面部形成突部
３１  垂直突部
３２  底面部
３６  頂部
３５  垂直面部
３９  先細部
４０シート状物突き刺し突部
５５  溝部
５９  上の傾斜突部
６０  下の傾斜突部
６２  溝底面
６６  つの状抜け止め片
７０  刃状部
７７  地中
７９  土
７９ａ  周辺の土
８１  定着具上部
８２  定着基体
８３  ジグザグ状基体屈曲部
８５  Ｖ字状基体屈曲部
８６  傾斜基体下面部
８７  傾斜下面部形成部
８９  傾斜基体上面部
９０  傾斜上面部形成部
９３  三角形状基体凹部
９７  頂部
【図１】
0005925819.tif 000002
【図２】
0005925819.tif 000003
【図３】
0005925819.tif 000004
【図４】
0005925819.tif 000005
【図５】
0005925819.tif 000006
【図６】
0005925819.tif 000007
【図７】
0005925819.tif 000008
【図８】
0005925819.tif 000009
【図９】
0005925819.tif 000010
【図１０】
0005925819.tif 000011
【図１１】
0005925819.tif 000012
【図１２】
0005925819.tif 000013
【図１３】
0005925819.tif 000014
【図１４】
0005925819.tif 000015
【図１５】
0005925819.tif 000016
【図１６】
0005925819.tif 000017
【図１７】
0005925819.tif 000018
【図１８】
0005925819.tif 000019
【図１９】
0005925819.tif 000020
【図２０】
0005925819.tif 000021
【図２１】
0005925819.tif 000022
【図２２】
0005925819.tif 000023
【図２３】
0005925819.tif 000024
【図２４】
0005925819.tif 000025
【図２５】
0005925819.tif 000026
【図２６】
0005925819.tif 000027
【図２７】
0005925819.tif 000028
【図２８】
0005925819.tif 000029
【図２９】
0005925819.tif 000030
【図３０】
0005925819.tif 000031
【図３１】
0005925819.tif 000032
【図３２】
0005925819.tif 000033
【図３３】
0005925819.tif 000034
【図３４】
0005925819.tif 000035
【図３５】
0005925819.tif 000036
【図３６】
0005925819.tif 000037